(57)【要約】【課題】スクリーンセーバが起動しているときにも、スクリーンに逐次更新される表示情報を表示する。【解決手段】端末装置３では、スクリーンセーバが起動すると、スケジュール送信装置５に対して、内蔵時計３６によって示されている時刻を含むスケジュール送信要求を送信する。スケジュール送信装置５は、スケジュール送信要求に含まれる時刻を抽出し、抽出した時刻と開始時刻が近いスケジュールを検索して選択し、端末装置３へ送信する。端末装置３は、スケジュールからアドレスを抽出し、アドレスに基づいて表示情報送信装置４に表示情報送信要求を送信する。表示情報送信装置４は、表示情報送信要求に基づいて表示情報データを送信する。端末装置３は、表示情報データから表示情報を抽出し、スクリーン２に表示する。【選択図】  図１
2004222211.tif 000002
【特許請求の範囲】
【請求項１】
ネットワーク網を介して、端末装置と、表示情報送信装置と、スケジュール送信装置とが接続されている情報配信システムであって、
上記表示情報送信装置は、上記端末装置によって送信された表示情報送信要求を受信したときに、上記端末装置に対して表示情報を送信する表示情報送信手段と、
上記表示情報を記憶する送信表示情報記憶手段とを備え、
上記スケジュール送信装置は、上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールが、複数記載されているスケジュール表を記憶する送信スケジュール記憶手段と、
上記端末装置から送信された時刻を受信したときに、受信した時刻と表示開始時刻が近いスケジュールを上記スケジュール表から検索し、該当するスケジュールを選択する選択手段と、
上記端末装置に対して、上記選択手段によって選択されたスケジュールを送信するスケジュール送信手段とを備え、
上記端末装置は、上記表示情報を表示する表示手段と、
時間の経過を示す内蔵時計と、
上記スケジュール装置に対して、上記内蔵時計によって示される時刻を送信する時刻送信手段と、
ユーザによる操作が所定時間以上行われないときに、上記表示手段に所定の画像を表示するスクリーンセーバと、
上記所定の画像が上記表示手段に表示されたとき、及び上記表示画像の表示が終了する時刻が近づいたときに、上記内蔵時計によって示される時刻を、上記スケジュール送信装置に対して送信する時刻送信手段と、
上記スケジュール送信装置から送信されたスケジュールを受信するスケジュール受信手段と、
上記スケジュール受信手段によって受信されたスケジュールを記憶するスケジュール記憶手段と、
上記内蔵時計によって示される時刻が上記スケジュール記憶手段に記憶されたスケジュールに示される表示開始時刻となったときに、スケジュールに示さ  れているアドレスに基づいて、上記表示情報送信装置に対して表示情報送信要求を送信する表示情報送信要求送信手段と、
上記表示情報送信装置から送信された表示情報を受信する表示情報受信手段と、
上記表示情報受信手段によって受信された表示情報を上記表示手段に表示する表示制御手段とを備えること
を特徴とする情報配信システム。
【請求項２】
上記端末装置は、上記スケジュール受信手段によって受信されたスケジュールと上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えるスケジュール書き換え手段を備え、
上記時刻送信手段は、上記表示情報が表示されている間、所定の時間おきに、上記内蔵時計によって示される時刻を、上記スケジュール送信装置に対して送信し、
上記スケジュール書き換え手段は、上記スケジュール受信手段によって受信されたスケジュールが、上記時刻送信手段によって所定の時間おきに上記スケジュール送信装置に対して送信された時刻に基づいて、上記スケジュール送信装置から送信されたスケジュールであるときに、上記スケジュール受信手段によって受信されたスケジュールと上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えること
を特徴とする請求項１記載の情報配信システム。
【請求項３】
上記スケジュール書き換え手段は、上記スケジュール受信手段によって受信されたスケジュールと、上記スケジュール記憶手段に記憶されたスケジュールとを比較して、上記表示終了時刻又は上記表示時間が異なる場合に、上記スケジュール記憶手段に記憶されているスケジュールを、上記スケジュール受信手段によって受信されたスケジュールに書き換えること
を特徴とする請求項２記載の情報配信システム。
【請求項４】
上記端末装置は、上記表示手段に表示された表示情報を記憶する表示情報記憶手段を備えること
を特徴とする請求項１記載の情報配信システム。
【請求項５】
上記ネットワーク網を介して、上記端末装置、上記スケジュール送信装置、及び表示情報送信装置と接続しており、上記送信スケジュール記憶手段に記憶されているスケジュール又は上記送信表示情報記憶手段に記憶されている表示情報を訂正する訂正装置を備えること
を特徴とする請求項１記載の情報配信システム。
【請求項６】
上記表示情報は、上記表示情報が上記表示手段に表示される時刻にテレビジョン放送されている番組、又はラジオ放送されている番組に関連していること
を特徴とする請求項１記載の情報配信システム。
【請求項７】
上記表示情報送信装置は、上記表示情報を暗号化する暗号化手段を備え、
上記端末装置は、上記暗号化手段によって暗号化された表示情報を解読する解読手段を備えること
を特徴とする請求項１記載の情報配信システム。
【請求項８】
上記端末装置は、上記表示情報が表示されている状態でユーザによる操作が行われたときに上記表示手段に表示されていた表示情報を示す最終表示情報を、上記表示情報送信装置に対して送信する最終表示情報送信手段を備え、
上記表示記情報送信装置は、上記端末装置から送信された最終表示情報に基づいて各表示情報が最終表示情報として送信された回数を集計する集計手段を備えること
を特徴とする請求項１記載の情報配信システム。
【請求項９】
上記送信スケジュール記憶手段には、複数のスケジュール表が記憶されており、
上記端末装置は、上記スケジュール送信装置によって送信されるスケジュールが属するスケジュール表を選択するスケジュール表選択手段を備えていること
を特徴とする請求項１記載の情報配信システム。
【請求項１０】
ネットワーク網を介して、表示情報を送信する表示情報送信装置と、スケジュールを送信するスケジュール送信装置と接続しており、
上記表示情報を表示する表示手段と、
時間の経過を示す内蔵時計と、
上記スケジュール装置に対して、上記内蔵時計によって示される時刻を送信する時刻送信手段と、
ユーザによる操作が所定時間以上行われないときに、上記表示手段に所定の画像を表示するスクリーンセーバと、
上記所定の画像が上記表示手段に表示されたとき、及び上記表示画像の表示が終了する時刻が近づいたときに、上記内蔵時計によって示される時刻を、上記スケジュール送信装置に対して送信する時刻送信手段と、
上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールを受信するスケジュール受信手段と、
上記スケジュール受信手段によって受信されたスケジュールを記憶するスケジュール記憶手段と、
上記内蔵時計によって示される時刻が上記スケジュール記憶手段に記憶されたスケジュールに示される表示開始時刻となったときに、スケジュールに示されているアドレスに基づいて、上記表示情報送信装置に対して表示情報送信要求を送信する表示情報送信要求送信手段と、
上記表示情報送信装置から送信された表示情報を受信する表示情報受信手段と、
上記表示情報受信手段によって受信された表示情報を上記表示手段に表示する表示制御手段とを備えること
を特徴とする端末装置。
【請求項１１】
上記端末装置は、上記スケジュール受信手段によって受信されたスケジュールと、上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えるスケジュール書き換え手段を備え、
上記時刻送信手段は、上記表示情報が表示されている間、所定の時間おきに、上記内蔵時計によって示される時刻を、上記スケジュール送信装置に対して送信し、
上記スケジュール書き換え手段は、上記スケジュール受信手段によって受信されたスケジュールが、上記時刻送信手段によって所定の時間おきに上記スケジュール送信装置に対して送信された時刻に基づいて、上記スケジュール送信装置から送信されたスケジュールであるときに、上記スケジュール受信手段によって受信されたスケジュールと上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えること
を特徴とする請求項１０記載の端末装置。
【請求項１２】
上記スケジュール書き換え手段は、上記スケジュール受信手段によって受信されたスケジュールと、上記スケジュール記憶手段に記憶されたスケジュールとを比較して、上記表示終了時刻又は上記表示時間が異なる場合に、上記スケジュール記憶手段に記憶されているスケジュールを、上記スケジュール受信手段によって受信されたスケジュールに書き換えること
を特徴とする請求項１１記載の端末装置。
【請求項１３】
上記表示手段に表示された表示情報を記憶する表示情報記憶手段を備えること
を特徴とする請求項１０記載の端末装置。
【請求項１４】
暗号化された上記表示情報を解読する解読手段を備えること
を特徴とする請求項１０記載の端末装置。
【請求項１５】
上記表示情報が表示されている状態でユーザによる操作が行われたときに上記表示手段に表示されていた表示情報を示す最終表示情報を、上記表示情報送信手段に送信する最終表示情報送信手段を備えること
を特徴とする請求項１１記載の端末装置。
【請求項１６】
ネットワーク網を介して、端末装置と、上記端末装置に対して表示情報を送信する表示情報送信手段と接続されており、
上記表示情報の表示が開始となる時刻である表示開始時刻、上記表示情報の表示が終了する時刻である表示終了時刻、上記表示情報が上記端末装置に備えられた表示手段に表示される表示時間、及び上記表示情報を識別するアドレスが示されたスケジュールが複数記載されているスケジュール表を記憶する送信スケジュール記憶手段と、
上記端末装置から送信された時刻を受信したときに、受信した時刻と開始時刻が近いスケジュールを、上記スケジュール表から検索する検索手段と、
上記端末装置に対して、上記検索手段によって検索されたスケジュールを送信するスケジュール送信手段とを備えること
を特徴とするスケジュール送信装置。
【請求項１７】
上記スケジュール記憶手段には、複数のスケジュール表が記憶されていること
を特徴とする請求項１６記載のスケジュール送信装置。
【請求項１８】
ネットワーク網を介して端末装置と接続されており、
上記端末装置に対して送信する表示情報を記憶する送信表示情報記憶手段と、
上記端末装置によってアドレスに基づいて送信された表示情報送信要求を受信したときに、上記端末装置に対して上記送信表示情報記憶手段に記憶されている上記表示情報を送信する表示情報送信手段を備えること
を特徴とする表示情報送信装置。
【請求項１９】
上記表示情報を暗号化する暗号化手段を備えること
を特徴とする請求項１８記載の表示情報送信装置。
【請求項２０】
上記表示情報送信装置によって送信される上記表示情報は、上記表示情報が上記表示手段に表示される時刻にテレビジョン放送されている番組、又はラジオ放送されている番組に関連していること
を特徴とする請求項１８記載の表示情報送信装置。
【請求項２１】
上記端末装置から送信され、上記表示情報が表示されている状態でユーザが上記端末装置を操作したときに上記表示手段に表示されていた表示情報を示す最終表示情報に基づいて、各表示情報が最終表示情報として送信された回数を集計する集計手段を備えること
を特徴とする請求項１８記載の表示情報送信装置。
【請求項２２】
ネットワーク網を介して、端末装置と、表示情報送信装置と、スケジュール送信装置とが接続されている情報配信システムにおける情報配信方法であって、
上記端末装置は、ユーザによる操作が所定の時間以上行われないときに、所定の画像を表示手段に表示するとともに、上記スケジュール装置に対して、時間の経過を示す内蔵時計によって示される時刻を送信し、
上記スケジュール送信装置は、上記端末装置によって送信された時刻を受信して、上記表示情報の表示が開始となる時刻である表示開始時刻、上記表示情報の表示が終了する時刻である表示終了時刻、上記表示情報が表示される時間である表示時間、及び上記表示情報を識別するアドレスが一組とされているスケジュールを検索し、上記端末装置によって送信された時刻と開始時刻が近いスケジュールを選択して上記端末装置に対して送信し、
上記端末装置は、上記スケジュールを受信して記録媒体に記録するとともに、上記内蔵時計によって示される時刻が上記記録媒体に記憶されたスケジュールに示される表示開始時刻となったときに、スケジュールに示されているアドレスに基づいて、上記表示情報送信装置に対して表示情報送信要求を送信し、
上記表示情報送信装置は、上記表示情報送信要求を受信して、上記端末装置に対して表示情報を送信し、
上記端末装置は、上記表示情報送信手段によって送信された表示情報を受信して、表示手段に表示すること
を特徴とする情報配信方法。
【請求項２３】
上記端末装置は、上記表示情報が表示されている間、所定の時間おきに、上記内蔵時計によって示される時刻を、上記スケジュール送信装置に対して送信し、
上記スケジュール送信装置は、上記端末装置によって送信された時刻を受信して上記スケジュールを検索し、上記端末装置によって送信された時刻と開始時刻が近いスケジュールを選択して上記端末装置に対して送信し、
上記端末装置は、上記スケジュール送信装置によって送信されたスケジュールを受信し、受信したスケジュールと上記記録媒体に記憶されているスケジュールとを比較して、異なる部分がある場合に、上記記録媒体に記憶されているスケジュールを、受信したスケジュールに書き換えること
を特徴とする請求項２２記載の情報配信方法。
【請求項２４】
上記端末装置は、上記受信したスケジュールと、上記記録媒体に記憶されているスケジュールとを比較して、上記表示終了時刻又は上記表示時間が異なる場合に、上記記録媒体に記憶されているスケジュールを、受信したスケジュールに書き換えること
を特徴とする請求項２３記載の情報配信方法。
【請求項２５】
上記端末装置は、上記表示情報提供手段によって送信された表示情報を、記録媒体に対して記録すること
を特徴とする請求項２２記載の情報配信方法。
【請求項２６】
上記ネットワーク網を介して、上記端末装置、上記スケジュール送信装置、及び表示情報送信装置と接続している訂正装置を備え、
上記訂正装置は、上記スケジュール送信装置によって送信されるスケジュール又は上記表示情報送信装置によって送信される表示情報を訂正すること
を特徴とする請求項２２記載の情報配信方法。
【請求項２７】
上記表示情報は、上記表示情報が上記表示手段に表示される時刻にテレビジョン放送されている番組、又はラジオ放送されている番組に関連していること
を特徴とする請求項２２記載の情報配信方法。
【請求項２８】
上記表示情報送信装置は、上記表示情報を暗号化し、
上記端末装置は、上記暗号化された表示情報を解読すること
を特徴とする請求項２２記載の情報配信方法。
【請求項２９】
上記端末装置は、上記表示情報が表示されている状態でユーザによる操作が行われたときに上記表示手段に表示されていた表示情報を示す最終表示情報を、上記情報送信装置に対して送信し、
上記情報送信装置は、上記端末装置から送信された最終表示情報に基づいて各表示情報が最終表示情報として送信された回数を集計すること
を特徴とする請求項２２記載の情報配信方法。
【請求項３０】
上記スケジュール送信装置に備えられた記録媒体には、複数のスケジュール表が記憶されており、
上記端末装置は、上記スケジュール送信装置によって送信されるスケジュールが属するスケジュール表を選択すること
を特徴とする請求項２２記載の情報配信方法。
【発明の詳細な説明】
【０００１】
【発明の属する技術分野】
本発明は、ネットワークを介してユーザに情報を配信する情報配信システム、端末装置、スケジュール送信装置、表示情報送信装置、情報配信方法に関するものであり、特に、ユーザが一定の時間以上端末装置を操作していないときに、端末装置のスクリーンに情報を表示するための情報配信システム、端末装置、スケジュール送信装置、表示情報送信装置、情報配信方法に関する。
【０００２】
【従来の技術】
近年、インターネットの常時接続が、ＣＡＴＶ（Ｃａｂｌｅ  Ｔｅｌｅｖｉｓｉｏｎ）、ＡＤＳＬ（Ａｓｙｍｍｅｔｒｉｃ  Ｄｉｇｉｔａｌ  Ｓｕｂｓｃｒｉｂｅ  Ｌｉｎｅ）などの技術により普及してきている。これらの技術の普及に伴い、ユーザは、パーソナルコンピュータ（以下、パソコンという。）などの端末装置に備えられたスクリーンに情報サイトを常時表示し、表示した情報サイトを確認することで、逐次更新される最新の情報を知ることができる。例えば、テレビジョン放送している番組に関連している情報サイトをパソコンのスクリーンに表示して、番組の進行に応じて更新される関連情報を得ることや、パソコンでの作業以外の作業を行っている最中に所望の情報サイトを端末装置のスクリーンに表示して、時間毎に更新される情報を得ることができる。
【０００３】
ところで、端末装置では、ユーザによる操作が一定時間以上行われない場合に、スクリーンに、例えばユーザによって選択された所定の動画などの画像を表示することが行われており、この処理を行うプログラムはスクリーンセーバと呼ばれている。スクリーンセーバを起動させることにより、ＣＲＴ（Ｃａｔｈｏｄｅ  Ｒａｙ  Ｔｕｂｅ）ディスプレイでは、長時間同一の画像を表示し続けることで蛍光塗料が変質しておこる画像の焼き付きを防ぐことができる。また、液晶ディスプレイでも、例えばユーザが長時間端末装置から離れたときなどに、第三者によってスクリーンに表示されている画像を観られることを防ぐことができる。
【０００４】
このスクリーンセーバが起動すると、スクリーンには情報サイトが表示されなくなる。したがって、端末装置を一定の時間以上操作しないときには、ユーザは、情報サイトを確認して情報を得ることができなくなる。
【０００５】
この問題点を解決する方法としては、スクリーンセーバが起動しているときに、情報をスクリーンに表示する方法がある。具体的に説明すると、先ず、端末装置は、当該端末装置に備えられた記憶装置に、予めネットワークを介して送信された情報サイトなどの表示情報を記憶する。そして、スクリーンセーバが起動したことを認識して記憶装置に記憶されている情報を読み出して、スクリーンに表示する（例えば、特許文献１参照）。
【０００６】
【特許文献１】
特開平９−２４４９８１号公報
【０００７】
【発明が解決しようとする課題】
しかしながら、以上説明した方法を採用すると、スクリーンセーバが起動しているときにスクリーンに表示される表示情報は、記憶装置に記憶された表示情報のみとなる。すなわち、スクリーンセーバを起動しているときには、スクリーンに表示される表示情報は変化することがない。
【０００８】
したがって、ユーザは、スクリーンセーバが起動しているときには、端末装置を確認することによって、逐次更新される最新の情報を得ることが不可能となる。例えば、テレビジョン放送中の番組に関連する情報サイトをパソコンのスクリーンに表示して、番組の進行に応じて更新される番組の関連情報を得ているときにも、端末装置の操作が行われないときにはスクリーンセーバが起動してしまい、最新の関連情報を得ることが不可能となる。
【０００９】
本発明は、以上のような従来の実情を鑑みて提案されたものであり、端末装置において所定の時間以上操作が行われないときにも、スクリーンに、逐次更新される情報を表示することが可能である情報配信システムを提供することを目的とする。
【００１０】
【課題を解決するための手段】
本発明に係る情報配信システムは、ネットワーク網を介して、端末装置と、表示情報送信装置と、スケジュール送信装置とが接続されている情報配信システムであって、上記表示情報送信装置は、上記端末装置によって送信された表示情報送信要求を受信したときに、上記端末装置に対して表示情報を送信する表示情報送信手段と、上記表示情報を記憶する送信表示情報記憶手段とを備え、上記スケジュール送信装置は、上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールが、複数記載されているスケジュール表を記憶する送信スケジュール記憶手段と、記端末装置から送信された時刻を受信したときに、受信した時刻と表示開始時刻が近いスケジュールを上記スケジュール表から検索し、該当するスケジュールを選択する選択手段と、上記端末装置に対して、上記選択手段によって選択されたスケジュールを送信するスケジュール送信手段とを備え、上記端末装置は、上記表示情報を表示する表示手段と、時間の経過を示す内蔵時計と、上記スケジュール装置に対して、上記内蔵時計によって示される時刻を送信する時刻送信手段と、ユーザによる操作が所定時間以上行われないときに、上記表示手段に所定の画像を表示するスクリーンセーバと、上記所定の画像が上記表示手段に表示されたとき、及び上記表示画像の表示が終了となる時刻が近づいたときに、上記内蔵時計によって示される時刻を、上記スケジュール送信装置に対して送信する時刻送信手段と、上記スケジュール送信装置から送信されたスケジュールを受信するスケジュール受信手段と、上記スケジュール受信手段によって受信されたスケジュールを記憶するスケジュール記憶手段と、上記内蔵時計によって示される時刻が上記スケジュール記憶手段に記憶されたスケジュールに示される表示開始時刻となったときに、スケジュールに示されているアドレスに基づいて、上記表示情報送信装置に対して表示情報送信要求を送信する表示情報送信要求送信手段と、上記表示情報送信装置から送信された表示情報を受信する表示情報受信手段と、上記表示情報受信手段によって受信された表示情報を上記表示手段に対して表示する表示制御手段とを備えることを特徴とする。
【００１１】
また、本発明に係る端末装置は、ネットワーク網を介して、表示情報を送信する表示情報送信装置と、スケジュールを送信するスケジュール送信装置と接続しており、上記表示情報を表示する表示手段と、時間の経過を示す内蔵時計と、上記スケジュール装置に対して、上記内蔵時計によって示される時刻を送信する時刻送信手段と、ユーザによる操作が所定時間以上行われないときに、上記表示手段に所定の画像を表示するスクリーンセーバと、上記所定の画像が上記表示手段に表示されたとき、及び上記表示画像の表示が終了する時刻が近づいたときに、上記内蔵時計によって示される時刻を、上記スケジュール送信装置に対して送信する時刻送信手段と、上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールを受信するスケジュール受信手段と、上記スケジュール受信手段によって受信されたスケジュールを記憶するスケジュール記憶手段と、上記内蔵時計によって示される時刻が上記スケジュール記憶手段に記憶されたスケジュールに示される表示開始時刻となったときに、スケジュールに示されているアドレスに基づいて、上記表示情報送信装置に対して表示情報送信要求を送信する表示情報送信要求送信手段と、上記表示情報送信装置から送信された表示情報を受信する表示情報受信手段と、上記表示情報受信手段によって受信された表示情報を上記表示手段に表示する表示制御手段とを備えることを特徴とする。
【００１２】
さらに、本発明に係るスケジュール送信装置は、ネットワーク網を介して、端末装置と、上記端末装置に対して表示情報を送信する表示情報送信手段と接続されており、上記表示情報の表示が開始となる時刻である表示開始時刻、上記表示情報の表示が終了する時刻である表示終了時刻、上記表示情報が上記端末装置に備えられた表示手段に表示される表示時間、及び上記表示情報を識別するアドレスが示されたスケジュールが複数記載されているスケジュール表を記憶する送信スケジュール記憶手段と、上記端末装置から送信された時刻を受信したときに、受信した時刻と開始時刻が近いスケジュールを、上記スケジュール表から検索する検索手段と、上記端末装置に対して、上記検索手段によって検索されたスケジュールを送信するスケジュール送信手段とを備えることを特徴とする。
【００１３】
さらに、本発明に係る表示情報送信装置は、ネットワーク網を介して端末装置と接続されており、上記端末装置に対して送信する表示情報を記憶する送信表示情報記憶手段と、上記端末装置によってアドレスに基づいて送信された表示情報送信要求を受信したときに、上記端末装置に対して上記送信表示情報記憶手段に記憶されている上記表示情報を送信する表示情報送信手段を備えることを特徴とする。
【００１４】
さらに、本発明に係る情報配信方法は、ネットワーク網を介して、端末装置と、表示情報送信装置と、スケジュール送信装置とが接続されている情報配信システムにおける情報配信方法であって、上記端末装置は、ユーザによる操作が所定の時間以上行われないときに、所定の画像を表示手段に表示するとともに、上記スケジュール装置に対して、時間の経過を示す内蔵時計によって示される時刻を送信し、上記スケジュール送信装置は、上記端末装置によって送信された時刻を受信して、上記表示情報の表示が開始となる時刻である表示開始時刻、上記表示情報の表示が終了する時刻である表示終了時刻、上記表示情報が表示される時間である表示時間、及び上記表示情報を識別するアドレスが一組とされているスケジュールを検索し、上記端末装置によって送信された時刻と開始時刻が近いスケジュールを選択して上記端末装置に対して送信し、上記端末装置は、上記スケジュールを受信して記録媒体に記録するとともに、上記内蔵時計によって示される時刻が上記記録媒体に記憶されたスケジュールに示される表示開始時刻となったときに、スケジュールに示されているアドレスに基づいて、上記表示情報送信装置に対して表示情報送信要求を送信し、上記表示情報送信装置は、上記表示情報送信要求を受信して、上記端末装置に対して表示情報を送信し、上記端末装置は、上記表示情報送信手段によって送信された表示情報を受信して、表示手段に表示することを特徴とする。
【００１５】
【発明の実施の形態】
以下、本発明の実施の形態について、図面を参照しながら詳細に説明する。
図１に示すように、本発明を適用した情報配信システム１は、デジタルコンテンツデータをスクリーン２に表示する端末装置３と、端末装置３からの要求に応じて、端末装置３に対してデジタルコンテンツデータ（以下、表示情報という。）を送信する表示情報送信装置４と、端末装置３からの要求に応じて、端末装置３に対してスケジュールを送信するスケジュール送信装置５と、スケジュール及び表示情報の変更を行うデータ更新装置６とを備えている。端末装置３と、表示情報送信装置４と、スケジュール送信装置５と、データ更新装置６とは、通信ネットワーク７を介して接続されている。
【００１６】
まず、表示情報送信装置４について説明する。
【００１７】
表示情報送信装置４は、端末装置３との間でデータの送受信を行うネットワークインターフェイス（以下、ネットワークＩ／Ｆという。）４１と、端末装置３に対して送信するための表示情報並びに表示情報送信装置４を動作させるためのソフトウェアが記憶されている記憶装置４２と、各部を制御する中央演算装置（Ｃｅｎｔｒａｌ  Ｐｒｏｃｅｓｓｉｎｇ  Ｕｎｉｔ；以下、ＣＰＵという。）４３と、ＣＰＵ４３の作業領域となるメモリ４４とを備える。
【００１８】
表示情報送信装置４は、端末装置３に対して、表示情報を送信する。表示情報送信装置４が端末装置３に送信する表示情報の例としては、表示情報がスクリーン２に表示されているときにテレビジョン放送されている番組の関連情報や、ラジオ放送されている番組の関連情報などが挙げられる。表示情報送信装置４が、端末装置３に対して、テレビジョン放送されている番組やラジオ放送されている番組に関連する表示情報を送信することにより、ユーザは、端末装置３を操作することなく、テレビジョン放送されている番組やラジオ放送されている番組に関連しており、逐次更新される最新情報を得ることが可能となる。
【００１９】
記憶装置４２には、図２に示すように、いわゆるオペレーションシステムである基本ソフトウェアと、サーバソフトウェアと、更新データ受信ソフトウェアとが記憶されている。サーバソフトウェア及び更新データ受信ソフトウェアは、基本ソフトウェア上で動く。
【００２０】
サーバソフトウェアは、世の中に広く広まっているＷｅｂサーバソフトウェアであり、ＨＴＴＰ（Ｈｙｐｅｒ  Ｔｅｘｔ  Ｔｒａｎｓｆｅｒ  Ｐｒｏｔｏｃｏｌ）に従って、端末装置３から送信された表示情報送信要求を受信し、要求された表示情報を端末装置３に対して送信するためのソフトウェアである。
【００２１】
ＣＰＵ４３は、端末装置３から送信された表示情報送信要求を受信すると、サーバソフトウェアの記述に従って、端末装置３に送信する表示情報を記憶装置４２から読み出し、表示情報データとしてネットワークＩ／Ｆ４１を介して端末装置３に送信する。
【００２２】
更新データ受信ソフトウェアは、ＣＰＵ４３が、データ更新装置６から送信された表示情報更新データに基づいて、記憶装置４２に記憶されている表示情報を更新するためのソフトウェアである。ＣＰＵ４３は、先ず、更新データソフトウェアの記述に従って、表示情報更新データに基づいて、記憶装置４２に記憶されている表示情報を更新する。そして、表示情報の更新が完了すると、更新結果を示す更新結果データを作成する。そして、サーバソフトウェアの記述に従って、更新結果データをデータ更新装置６に送信する。
【００２３】
表示情報送信装置４が、端末装置３に対して表示情報を送信するときの動作は、以下に説明する通りとなる。
【００２４】
図３に示すように、先ず、ステップＳＴ１において、ＣＰＵ４３は、端末装置３が送信した表示情報送信要求を受信する。
【００２５】
次に、ステップＳＴ２において、ＣＰＵ４３は、端末装置３に送信する表示情報を記憶装置４２から読み出し、表示情報データとする。そして、表示情報データを、端末装置３に対して送信する。
【００２６】
また、表示情報送信装置４が、記憶装置４２に記憶されている表示情報の更新を行うときの動作は、以下に説明する通りとなる。
【００２７】
図４に示すように、先ず、ステップＳＴ１１において、ＣＰＵ４３は、データ更新装置６が送信した表示情報更新データを受信する。
【００２８】
次に、ステップＳＴ１２において、ＣＰＵ４３は、表示情報更新データに基づいて、記憶装置４２に記憶されている表示情報を更新する。
【００２９】
次に、ステップＳＴ１３において、ＣＰＵ４３は、更新結果データを作成する。
【００３０】
そして、ステップＳＴ１４において、ＣＰＵ４３は、データ更新装置６に対して更新結果データを送信する。
【００３１】
つぎに、スケジュール送信装置５について説明する。
【００３２】
スケジュール送信装置５は、端末装置３との間でデータの送受信を行うネットワークＩ／Ｆ５１と、端末装置３に送信するスケジュールが複数並べられているスケジュール表やスケジュール送信装置５を動作させるためのソフトウェアなどが記憶されている記憶装置５２と、各部を制御するＣＰＵ５３と、ＣＰＵ５３の作業領域となるメモリ５４とを備える。
【００３３】
記憶装置５２に記憶されているスケジュール表は、例えば、図５に示すように、表示情報をスクリーン２に表示し始める時刻を示す表示開始時刻と、表示情報をスクリーン２に表示することを終了する時刻を示す表示終了時刻又は表示情報がスクリーン２に表示される時間を示す表示時間と、表示情報を識別するアドレスとが一組となったスケジュールが、複数並べられたものである。図５では、スケジュールＡ，Ｂ，Ｃが並べられている。
【００３４】
なお、記憶装置５２には、スケジュール表が複数記憶されていても良い。記憶装置５２に複数のスケジュール表を記憶し、且つ端末装置３においてスケジュール表を選択できる構成とし、スケジュール送信装置５が端末装置３に対して端末装置３で選択されたスケジュール表に記載されたスケジュールを送信することにより、ユーザは、スクリーン２に表示する表示情報を選択することが可能となる。
【００３５】
スケジュール送信装置５は、端末装置３から送信されたスケジュール送信要求に含まれる時刻と表示開始時刻が近いスケジュールを、スケジュール表から検索する。そして、該当するスケジュールがあるときには、該当するスケジュールをスケジュールデータとして端末装置３に対して送信し、該当するスケジュールがないときには、デフォルトの表示情報をスケジュールデータとして端末装置３に対して送信する。
【００３６】
記憶装置５２に記憶されているソフトウェアは、図６に示すように、いわゆるオペレーションシステムである基本ソフトウェアと、サーバソフトウェア、検索ソフトウェア、更新データ受信ソフトウェアである。サーバソフトウェア、検索ソフトウェア、更新データ受信ソフトウェアは、基本ソフトウェア上で動く。
【００３７】
更新データ受信ソフトウェアは、ＣＰＵ５３が、データ更新装置６から送信されたスケジュール更新データに基づいて、記憶装置５２に記憶されているスケジュールを更新するためのソフトウェアである。ＣＰＵ５３は、先ず、更新データソフトウェアの記述に従って、スケジュール送信装置５が受信したスケジュール更新データに基づいて、記憶装置５２に記憶されているスケジュールを更新する。そして、スケジュールの更新が完了すると、更新結果を示す更新結果データを作成する。更新結果データは、サーバソフトウェアの記述に従って、ネットワークＩ／Ｆ５１を介してデータ更新装置６に送信される。
【００３８】
検索ソフトウェアは、スケジュール表から、端末装置３に対して送信するスケジュールを検索するためのソフトウェアである。スケジュール送信装置５が端末装置３から送信されたスケジュール送信要求を受信すると、ＣＰＵ５３は、先ず、スケジュール送信要求に含まれる時刻を抽出する。次に、検索ソフトウェアの記述に従って、記憶装置５２に記憶されているスケジュールを検索し、受信した時刻に開始時刻が近いスケジュールの有無を確認し、該当するスケジュールがあるときには、該当するスケジュールを選択する。
【００３９】
サーバソフトウェアは、世の中に広く広まっているＷｅｂサーバソフトウェアであり、ＨＴＴＰに従ってデータの送受信を行う。すなわち、端末装置３から送信されたスケジュール送信要求を受信し、検索ソフトウェアによって検索した結果該当するスケジュールがあるときには、該当するスケジュールをスケジュールデータとして端末装置３に送信し、該当するスケジュールがないときにはデフォルトの表示情報をスケジュールデータとして端末装置３に送信する。
【００４０】
スケジュール送信装置５は、例えば、図５に示すスケジュール表が記憶装置５２に記憶されているおり、抽出した時刻が１２時５５分であったときには、Ａで示すスケジュールをスケジュールデータとして端末装置３に送信する。また、抽出した時刻が１３時２０分であったときには、Ｂで示すスケジュールをスケジュールデータとして端末装置３に送信する。さらに、抽出した時刻が１３時４０分であったときには、デフォルトの表示情報をスケジュールデータとして端末装置３に送信する。
【００４１】
スケジュール送信装置５が端末装置３に対してスケジュールを送信するときの動作は、以下に説明する通りとなる。
【００４２】
図７に示すように、先ず、ステップＳＴ２１において、ＣＰＵ５３は、端末装置３によって送信されたスケジュール送信要求を受信する。
【００４３】
次に、ステップＳＴ２２において、ＣＰＵ５３は、受信したスケジュール送信要求に含まれる時刻を抽出する。そして、検索ソフトウェアの記述に従って、記憶装置５２に記憶されているスケジュール表を検索する。
【００４４】
次に、ステップＳＴ２３において、ＣＰＵ５３は、表示開始時刻が受信した時刻に近いスケジュールの有無を判断する。該当するスケジュールがあるときにはステップＳＴ２４に進み、該当するスケジュールがないときにはステップＳＴ２５に進む。
【００４５】
ステップＳＴ２４では、該当するスケジュールを、スケジュールデータとして端末装置３へ送信する。
【００４６】
ステップＳＴ２５では、デフォルトの表示情報を、スケジュールデータとして端末装置３へ送信する。
【００４７】
また、スケジュール送信装置５が、記憶装置５２に記憶されているスケジュールの更新を行うときの動作は、以下に説明する通りとなる。
【００４８】
図８に示すように、先ず、ステップＳＴ３１において、ＣＰＵ５３は、データ更新装置６が送信したスケジュール更新データを受信する。
【００４９】
次に、ステップＳＴ３２において、ＣＰＵ５３は、スケジュール更新データに基づいて、記憶装置５２に記憶されているスケジュールを更新する。
【００５０】
次に、ステップＳＴ３３において、ＣＰＵ５３は、更新結果データを作成する。
【００５１】
そして、ステップＳＴ３４において、ＣＰＵ５３は、データ更新装置６に対して更新結果データを送信する。
【００５２】
つぎに、端末装置３について説明する。
【００５３】
端末装置３は、表示情報送信装置４及びスケジュール送信装置５との間でデータの送受信を行うネットワークＩ／Ｆ３１と、端末装置３を動作させるためのソフトウェアや、表示情報送信装置４から送信された表示情報、スケジュール送信装置５から送信されたスケジュールなどが記憶される記憶装置３２と、各部を制御するＣＰＵ３３と、ＣＰＵ３３の作業領域となるメモリ３４と、端末装置３に対してデータを入力するための入力部３５と、時間の経過を示す内蔵時計３６と、表示情報を表示するスクリーン２とを備える。
【００５４】
端末装置３の例としては、パーソナルコンピュータ（以下、パソコンという。）などが挙げられる。
【００５５】
記憶装置３２に記憶されているソフトウェアは、図９に示すように、基本ソフトウェア、スクリーンセーバ用ソフトウェアである。スクリーンセーバ用ソフトウェアは、基本ソフトウェア上で動く。
【００５６】
スクリーンセーバ用ソフトウェアは、端末装置３において入力部３５によるデータの入力などの操作が一定時間以上行われないときに、スクリーンに所定の画像を表示させるためのソフトウェアである。なお、以下では、スクリーンセーバ用ソフトウェアが動いてスクリーン２に所定の画像が表示されることを、スクリーンセーバが起動するという。スクリーンセーバ用ソフトウェアは、スクリーンセーバ基本ソフト、通信制御ソフトウェア、送受信データ加工ソフトウェア、タイマーソフトウェア、書き換えソフトウェアから構成される。通信制御ソフトウェア、送受信データ加工ソフトウェア、タイマーソフトウェア、書き換えソフトウェアは、スクリーンセーバ基本ソフトウェア上で動く。
【００５７】
スクリーンセーバ基本ソフトウェアは、スクリーンセーバの起動や、スクリーンセーバの停止などを制御するためのソフトウェアである。具体的に説明すると、ＣＰＵ３３は、端末装置３の操作が所定時間以上行われないときには、スクリーンセーバ基本ソフトウェアの記述に従って、スクリーンセーバを起動する。また、ＣＰＵ３３は、スクリーンセーバが起動した状態で端末装置３の操作が行われたときに、スクリーンセーバ基本ソフトウェアの記述に従って、スクリーンセーバを停止する。さらに、ＣＰＵ３３は、スクリーンセーバが起動したときに、スクリーンセーバ基本ソフトウェアの記述に従って、スクリーン２に、表示情報送信装置４から送信された表示情報を表示する。
【００５８】
通信制御ソフトウェアは、表示情報送信装置４、並びにスケジュール送信装置５との間でデータの送受信を行うためのソフトウェアである。具体的に説明すると、ＣＰＵ３３は、通信制御ソフトウェアの記述に従って、スケジュール送信装置５に対して、ネットワークＩ／Ｆ３１を介して、端末装置３に設定されている時刻を含むスケジュール送信要求を作成し送信する。また、ＣＰＵ３３は、通信制御ソフトウェアの記述に従って、ネットワークＩ／Ｆ３１を介して、スケジュール送信装置５から送信されたスケジュールデータを受信する。
【００５９】
さらに、ＣＰＵ３３は、通信制御ソフトウェアの記述に従って、表示情報送信装置４に対して、表示情報送信要求を、ネットワークＩ／Ｆ３１を介して送信する。さらにまた、ＣＰＵ３３は、通信制御ソフトウェアの記述に従って、表示情報送信装置４から送信された表示情報を、ネットワークＩ／Ｆ３１を介して受信する。
【００６０】
送受信データ加工ソフトウェアは、表示情報送信装置４及びスケジュール送信装置５に送信するデータ、並びに表示情報送信装置４及びスケジュール送信装置５から受信するデータを、加工するためのソフトウェアである。具体的に説明すると、ＣＰＵ３３は、送受信データ加工ソフトウェアの記述に従って、受信したスケジュールからアドレスを抽出する。また、ＣＰＵ３３は、送受信データ加工ソフトウェアの記述に従って、受信した表示情報データからスクリーン２に表示するための表示情報を抽出する。さらに、ＣＰＵ３３は、送受信データ加工ソフトウェアの記述に従って、内蔵時計３６によって示される時刻を取得し、スケジュール送信要求を生成する。さらにまた、ＣＰＵ３３は、送受信データ加工ソフトウェアの記述に従って、表示情報やスケジュールを、ファイルなどの形式で記憶装置３２に記録する。
【００６１】
タイマーソフトウェアは、内蔵時計３６を監視するためのソフトウェアである。具体的に説明すると、ＣＰＵ３３は、タイマーソフトウェアの記述に従って、表示情報がスクリーン２に表示されている間内蔵時計３６を監視し、表示情報の表示終了時刻に近づいたときには、送受信データ加工ソフトウェアにスケジュール送信要求を生成させる。また、ＣＰＵ３３は、タイマーソフトウェアの記述に従って、スクリーン２に表示情報が表示されている間内蔵時計３６を監視し、所定時間毎に、送受信データ加工ソフトウェアにスケジュール送信要求を生成させる。なお、ＣＰＵ３３は、スケジュールに表示時間が示されており、表示終了時刻が示されていないときには、表示開始時刻と表示時間から表示終了時刻を判断する。
【００６２】
書き換えソフトウェアは、記憶装置３２に記憶されているスケジュールの書き換えを行うためのソフトウェアである。ＣＰＵ３３は、所定の時間毎にスケジュール送信要求を送信し、スケジュールを受信したときに、書き換えソフトウェアの記述に従って、記憶装置３２に記憶されているスケジュールと受信したスケジュールとを比較し、異なる部分があるときに、記憶装置３２に記憶されているスケジュールを書き換える。本実施の形態では、表示終了時刻又は表示時間が異なる場合に書き換えを行っている。
【００６３】
端末装置３は、所定の時間毎にスケジュール送信装置４から送信されるスケジュールデータに基づいて、スクリーン２に表示されている表示情報のスケジュールに変更があるか否かを確認することができる。
【００６４】
端末装置３の動作は、以下に説明する通りとなる。
【００６５】
図１０に示すように、先ず、ステップＳＴ４１において、ＣＰＵ３３は、端末装置３が操作されたか否かを判断する。操作されたときはステップＳＴ４１に戻り、操作されていないときはステップＳＴ４２に進む。
【００６６】
ステップＳＴ４２では、ＣＰＵ３３は、所定時間以上操作されていないか否かが判断される。操作されていない時間が所定の時間未満であるときにはステップＳＴ４１に戻り、所定の時間以上であるときにはステップＳＴ４３に進む。
ステップＳＴ４３では、ＣＰＵ３３がスクリーンセーバを起動させて、ステップＳＴ４４とステップＳＴ６３とに進む。
【００６７】
次に、ステップＳＴ４４では、ＣＰＵ３３が、内蔵時計３６に示されている時刻を取得してスケジュール送信要求を作成する。
【００６８】
次に、ステップＳＴ４５では、ＣＰＵ３３が、スケジュール送信装置５に対して、スケジュール送信要求を送信する。
【００６９】
次に、ステップＳＴ４６では、ＣＰＵ３３が、スケジュール送信装置５から送信されたスケジュールデータを受信する。
【００７０】
次に、ステップＳＴ４７では、ＣＰＵ３３が、ステップＳＴ４６で受信したスケジュールデータから、スケジュールの有無を確認する。スケジュールがないときにはステップＳＴ４８に進み、スケジュールがあるときにはステップＳＴ４９に進む。
【００７１】
ステップＳＴ４８では、ＣＰＵ３３が、スケジュールデータに含まれるデフォルトの表示情報をスクリーン２に表示することを決定し、ステップＳＴ５５へ進む。
【００７２】
また、ステップＳＴ４９では、ＣＰＵ３３が、ステップＳＴ４５において、スクリーン２に表示されている表示情報のスケジュールの変更を確認するために、スケジュール送信要求を送信したか否かを判断する。スケジュールの変更を確認するためであるときにはステップＳＴ５０に進み、スケジュールの変更を確認するためではないときにはステップＳＴ５１に進む。
【００７３】
ステップＳＴ５０では、受信したスケジュールと記録装置３２に記憶されているスケジュールとを比較し、表示終了時刻又は表示時間に変更があるか否かを判断する。表示終了時刻又は表示時間に変更があるときにはステップＳＴ５１に進み、表示終了時刻又は表示時間に変更がないときにはステップＳＴ６１に進む。
【００７４】
次に、ステップＳＴ５１では、受信したスケジュールを記憶装置３２に記憶する。
【００７５】
次に、ステップＳＴ５２では、ＣＰＵ３３が、スケジュールデータからアドレスを抽出する。
【００７６】
次に、ステップＳＴ５３では、アドレスに基づいて、表示情報送信装置４に対して表示情報送信要求を送信する。
【００７７】
次に、ステップＳＴ５４で、ＣＰＵ３３は、表示情報送信装置４から送信された表示情報データを受信する。
【００７８】
次に、ステップＳＴ５５で、ＣＰＵ３３は、受信した表示情報データから表示情報を抽出する。
【００７９】
次に、ステップＳＴ５６で、ＣＰＵ３３は、スクリーン２に表示情報が表示されているか否かを判断する。スクリーン２に表示情報が表示されているときにはステップＳＴ５７に進み、スクリーン２に表示情報が表示されていないときにはステップＳＴ５９に進む。
【００８０】
ステップＳＴ５７では、ＣＰＵ３３は、スクリーン２に表示されている表示情報をクリアする。
【００８１】
次に、ステップＳＴ５８では、ＣＰＵ３３は、タイマーソフトウェアによる時刻の監視を、一度停止させた後に新たに開始し、ＳＴ６０に進む。
【００８２】
また、ステップＳＴ５９では、ＣＰＵ３３は、タイマーソフトウェアによる時刻の監視を開始し、ＳＴ６０に進む。
【００８３】
ステップＳＴ６０では、ＣＰＵ３３が、ステップＳＴ５５で抽出された表示情報を、スクリーン２に表示する。また、ＣＰＵ３３は、ステップＳＴ５５で抽出された表示情報を、記憶装置３２に記録する。
【００８４】
次に、ステップＳＴ６１では、ＣＰＵ３３が、内蔵時計３６によって示される時刻がスクリーン２に表示されている表示情報の表示終了時刻に近づいたか否かを判断する。表示終了時刻に近づいたときにはステップＳＴ４４に戻り、表示終了時刻に近づいていないときにはステップＳＴ６２に進む。
【００８５】
次に、ステップＳＴ６２では、ＣＰＵ３３が、スケジュールの変更を確認するタイミングであるか否かを判断する。スケジュールの変更を確認するタイミングであるときにはステップＳＴ４４に戻り、スケジュールの変更を確認するタイミングではないときには、ステップＳＴ６１に戻る。
【００８６】
なお、ステップＳＴ６３では、ＣＰＵ３３は、端末装置３の操作が行われたか否かを判断する。操作が行われていないと判断したときには、ステップＳＴ６３に戻り、操作が行われたと判断したときにはステップＳＴ６４に進む。
【００８７】
そして、ステップＳＴ６４では、ＣＰＵ３３は、スクリーンセーバの起動を停止する。
【００８８】
なお、ステップＳＴ５９で表示情報を記憶装置３２に記録することにより、ユーザは、例えば、表示情報を見逃した場合やスクリーンセーバを終了させた後などに、一旦スクリーン２に表示した表示情報を再度確認することが可能となる。また、例えば音楽データや画像データ、クーポン券データなど、表示情報以外のデータを受信することができる。また、ショッピングサイトのＵＲＬを記憶させることで、少ない操作で商品を購入できるシステムを作ることができる。
【００８９】
つぎに、データ更新装置６について説明する。
【００９０】
データ更新装置６は、スケジュール送信装置５との間でデータの送受信を行うネットワークＩ／Ｆ６１と、スケジュール変更装置６を動作させるためのソフトウェアが格納されている記憶装置６２と、各部を制御するＣＰＵ６３と、ＣＰＵ６３の作業領域となるメモリ６４とを備える。
【００９１】
データ更新装置６の例としては、パソコン、携帯電話機、ＰＤＡ（Ｐｅｒｓｏｎａｌ  Ｄｉｇｉｔａｌ  Ａｓｓｉｓｔａｎｔ）などが挙げられる。
【００９２】
記憶装置６２に記憶されているソフトウェアは、図１１に示すように、いわゆるオペレーションシステムである基本ソフトウェアと、更新データ送信ソフトウェアである。更新データ送信ソフトウェアは、基本ソフトウェア上で動く。
【００９３】
更新データ送信ソフトウェアは、例えば表示情報の提供者が、表示情報やスケジュールの更新を行うためのソフトウェアである。表示情報を更新するときには、ＣＰＵ６３は、更新データ送信ソフトウェアの記述に従って、表示情報送信装置４に対して、表示情報更新データを送信する。そして、表示情報送信装置４から送信された更新結果データを受信する。また、スケジュールを更新するときには、ＣＰＵ６３は、更新データ送信ソフトウェアの記述に従って、スケジュール送信装置５に対して、スケジュール更新データを送信する。そして、スケジュール送信装置４から送信された更新結果データを受信する。
【００９４】
データ更新装置６が表示情報を更新するときの動作は、以下に説明する通りとなる。
【００９５】
図１２に示すように、先ず、ステップＳＴ７１において、ＣＰＵ６３は、表示情報送信装置４に対して、表示情報更新データを送信する。
次に、ステップＳＴ７２において、ＣＰＵ６３は、表示情報送信装置４から送信された更新結果データを受信する。
【００９６】
また、データ更新装置６が、スケジュール送信装置５に対してスケジュール更新データを送信するときの動作は、以下に説明する通りとなる。
【００９７】
図１３に示すように、先ず、ステップＳＴ８１において、ＣＰＵ６３は、スケジュール送信装置５に対して、スケジュール更新データを送信する。
【００９８】
次に、ステップＳＴ８２において、ＣＰＵ６３は、スケジュール送信装置５から送信された更新結果データを受信する。
【００９９】
なお、情報提供者は、データ更新装置６としてＰＤＡや携帯電話機などの移動体通信装置を使用することにより、移動しながらスケジュールや表示情報を変更することが可能となる。したがって、例えば情報提供者が販売価格の競争をするときなどに、ライバルとなる店の価格を即座に自分の店に反映させ、反映した価格をユーザに対して早急に知らせることが可能となる。
【０１００】
つぎに、端末装置３と、表示情報送信装置４と、スケジュール送信装置５と、データ更新装置６との間のデータの送受信について説明する。
【０１０１】
図１４に示すように、先ず、端末装置３の操作が一定時間以上行われないときには、端末装置３ではスクリーンセーバが起動する。そして、端末装置３からスケジュール送信装置５に対して、スケジュール送信要求が送信される（Ｓ１）。
【０１０２】
次に、スケジュール送信装置５は、スケジュール送信要求を受信し、スケジュール送信要求に含まれる時刻に基づいてスケジュールの検索を行い、該当するスケジュール又はデフォルトの表示情報をスケジュールデータとして端末装置３に対して送信する（Ｓ２）。
【０１０３】
次に、端末装置３は、スケジュールデータを受信し、スケジュールの有無を判断する。そして、スケジュールがあるときにはアドレスを抽出し、アドレスに従って表示情報送信装置４に表示情報送信要求を送信する（Ｓ３）。
【０１０４】
次に、表示情報送信装置４は、表示情報送信要求を受信し、端末装置３に対して表示情報を送信する（Ｓ４）。
【０１０５】
次に、端末装置３は、内蔵時計３６の時刻の監視を開始するとともに、表示情報をスクリーン２に表示する。そして、所定の時間毎に、スケジュール送信装置５に対してスケジュール送信要求を送信する。（Ｓ５）。
【０１０６】
次に、スケジュール送信装置５は、スケジュール送信要求を受信する毎に、スケジュール送信要求に含まれる時刻に基づいてスケジュールの検索を行い、該当するスケジュール又はデフォルトの表示情報をスケジュールデータとして端末装置３に対して送信する（Ｓ６）。スケジュールに変更があったときには、端末装置３は、スケジュールの変更を行う。
【０１０７】
次に、端末装置３は、内蔵時計３６によって示される時刻がスクリーン２に表示されている表示情報の表示終了時刻に近づいたときに、表示情報送信装置４に対してスケジュール送信要求を送信する（Ｓ７）。
【０１０８】
次に、表示情報送信装置４は、端末装置３に対してスケジュールを送信する（Ｓ８）。端末装置３は、スクリーン２に表示する表示情報を変更する。
【０１０９】
また、スケジュールの変更があったときには、データ更新装置６が、スケジュール送信装置５に対してスケジュール更新データを送信する（Ｓ９）。
【０１１０】
スケジュール送信装置５は、スケジュール更新データを受信すると、スケジュールの更新を行う。そして、更新結果データを生成し、データ更新装置６に対して送信する（Ｓ１０）。
【０１１１】
さらに、表示情報の変更があったときには、データ更新装置６が、表示情報送信装置４に対して表示情報更新データを送信する（Ｓ１１）。
【０１１２】
表示情報送信装置４は、表示情報更新データを受信すると、表示情報の更新を行う。そして、更新結果データを生成し、データ更新装置６に対して送信する（Ｓ１２）。
【０１１３】
以上説明したように、本発明を適用した情報配信システム１によれば、端末装置３においてスクリーンセーバが起動したときにスクリーン２に表示される情報を、逐次更新させることが可能となる。したがって、ユーザは、端末装置３を長時間操作しないときにも、逐次更新される最新の情報を得ることが可能となる。
【０１１４】
また、本発明を適用した情報配信システム１によれば、端末装置３が、スケジュール送信装置５に対して、スケジュール送信要求を所定の時間毎に送信している。すなわち、情報配信システム１は、スケジュールに変更に対して迅速に対応し、最新の表示情報を表示することが可能となる。したがって、情報配信システム１によれば、情報提供者は、ユーザに対して、更新した表示情報を即座に提供することが可能となる。また、ユーザは、更新された情報を得ることが可能となる。
【０１１５】
また、本発明を適用した情報配信システム１では、ハードウェアやソフトウェアとして、既存の技術や製品を利用することができる。したがって、本発明を適用した情報配信システムは、低コストで利用可能となり、幅広い情報提供者に利用を促すことが可能となる。
【０１１６】
また、本発明を適用した情報配信システム１では、狭い地域内の端末装置３に限定して表示情報を送信することも、広い地域の端末装置３に対して表示情報を送信することも容易となり、地域性の強い情報から広い地域で共有できる情報まで幅広い情報を提供することが容易となる。
【０１１７】
また、本発明を適用した情報配信システム１では、表示情報送信装置４が内蔵時計３６に設定されている時刻に基づいて、端末装置３に対して表示情報を送信しているために、端末装置３は、内蔵時計３６の時刻を変更することにより、異なるローカルタイムに基づいて作成されたスケジュールを得ることが可能となり、ローカルタイムが異なる地域で表示される表示情報を確認することが可能となる。
【０１１８】
また、本発明を適用した情報配信システム１では、端末装置３に対して、いわゆる新聞の折り込み広告などと同じ情報を送信することが可能となるため、情報提供者は、紙資源を節約することや広告費を低減することが可能となる。
【０１１９】
また、本発明を適用した情報配信システム１は、例えば食事時間など、端末装置３の操作が長時間行われない時間帯を狙って、表示情報を表示させることが可能となる。
【０１２０】
なお、情報配信システム１は、表示情報送信装置４から端末装置３に送信する表示情報が暗号化されており、端末装置３には暗号解読部が備えられている構成としても良い。表示情報を暗号化することにより、表示情報をスクリーン２に表示できるユーザを限定することが可能となる。
【０１２１】
なお、情報配信システム１では、端末装置３には、スクリーンセーバが起動している状態で操作が行われたときに、スクリーン２に表示されている表示情報を示す最終表示情報をスケジュール送信装置５に送信する最終表示情報送信部が備えられており、スケジュール送信装置５には、最終表示情報として送信された表示情報の数を数えるカウント部が備えられた構成としても良い。端末装置３の操作が行われたときにスクリーン２に表示されている表示情報は、ユーザが必ず確認したと考えられるため、情報配信システム１を以上説明した構成とすることにより、ユーザが確認した表示情報の数を集計することが可能となる。
【０１２２】
【発明の効果】
本発明に係る情報配信システム、端末装置、表示情報提供装置、スケジュール提供装置、情報配信方法によれば、スクリーンセーバが起動しているときに表示手段に表示される情報を、逐次更新することが可能となる。したがって、ユーザは、端末装置を長時間操作しないときにも、逐次更新される最新の情報を得ることが可能となる。
【図面の簡単な説明】
【図１】本発明を適用した情報配信システムの構成を示す図である。
【図２】同情報配信システムを構成する表示情報送信装置に搭載されたソフトウェアを示す図である。
【図３】同情報配信システムを構成する表示情報送信装置が、端末装置に表示情報を送信するときの動作を示すフローチャートである。
【図４】同情報配信システムを構成する表示情報送信装置が、表示情報を訂正するときの動作を示すフローチャートである。
【図５】同情報配信システムを構成するスケジュール送信装置に備えられた記憶装置に記憶されたスケジュール表を示す図である。
【図６】同情報配信システムを構成するスケジュール送信装置に搭載されたソフトウェアを示す図である。
【図７】同情報配信システムを構成するスケジュール送信装置が、端末装置にスケジュールを送信するときの動作を示すフローチャートである。
【図８】同情報配信システムを構成するスケジュール送信装置が、スケジュールを訂正するときの動作を示すフローチャートである。
【図９】同情報配信システムを構成する端末装置に搭載されたソフトウェアを示す図である。
【図１０】同情報配信システムを構成する端末装置の動作を示すフローチャートである。
【図１１】同情報配信システムを構成するデータ訂正装置に搭載されたソフトウェアを示す図である。
【図１２】同情報配信システムを構成するデータ訂正装置が表示情報を訂正するときの動作を示すフローチャートである。
【図１３】同情報配信システムを構成するデータ訂正装置がスケジュールを訂正するときの動作を示すフローチャートである。
【図１４】同情報配信システムを構成する表示情報送信装置、スケジュール送信装置、端末装置、データ訂正装置間の情報の送受信を示す図である。
【符号の説明】
１  情報配信システム、２  スクリーン、３  端末装置、４  表示情報送信装置、５  スケジュール送信装置、６  データ訂正装置、７  通信ネットワーク、３１，４１，５１，６１  ネットワークＩ／Ｆ、３２，４２，５２，６２  記憶装置、３３，４３，５３，６３  ＣＰＵ、３４，４４，５４，６４  メモリ、３５  入力部、３６  内蔵時計
【図１】
2004222211.tif 000003
【図２】
2004222211.tif 000004
【図３】
2004222211.tif 000005
【図４】
2004222211.tif 000006
【図５】
2004222211.tif 000007
【図６】
2004222211.tif 000008
【図７】
2004222211.tif 000009
【図８】
2004222211.tif 000010
【図９】
2004222211.tif 000011
【図１０】
2004222211.tif 000012
【図１１】
2004222211.tif 000013
【図１２】
2004222211.tif 000014
【図１３】
2004222211.tif 000015
【図１４】
2004222211.tif 000016
【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
ネットワーク網を介して、端末装置と、表示情報送信装置と、スケジュール送信装置とが接続されている情報配信システムであって、
上記表示情報送信装置は、上記端末装置によって送信された表示情報送信要求を受信したときに、上記端末装置に対して表示情報を送信する表示情報送信手段と、
上記表示情報を記憶する送信表示情報記憶手段とを備え、
上記スケジュール送信装置は、上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールが、複数記載されているスケジュール表を記憶する送信スケジュール記憶手段と、
上記端末装置から送信された時刻を受信したときに、受信した時刻と表示開始時刻が近いスケジュールを上記スケジュール表から検索し、該当するスケジュールを選択する選択手段と、
上記端末装置に対して、上記選択手段によって選択されたスケジュールを送信するスケジュール送信手段とを備え、
上記端末装置は、上記表示情報を表示する表示手段と、
時間の経過を示す内蔵時計と、
ユーザによる操作が所定時間以上行われないときに、上記表示手段に所定の画像を表示するスクリーンセーバと、
上記所定の画像が上記表示手段に表示されたとき、及び上記表示画像の表示が終了する時刻が近づいたときに、上記内蔵時計によって示される時刻を、上記スケジュール送信装置に対して送信する時刻送信手段と、
上記スケジュール送信装置から送信されたスケジュールを受信するスケジュール受信手段と、
上記スケジュール受信手段によって受信されたスケジュールを記憶するスケジュール記憶手段と、
上記内蔵時計によって示される時刻が上記スケジュール記憶手段に記憶されたスケジュールに示される表示開始時刻となったときに、スケジュールに示されているアドレスに基づいて、上記表示情報送信装置に対して表示情報送信要求を送信する表示情報送信要求送信手段と、
上記表示情報送信装置から送信された表示情報を受信する表示情報受信手段と、
上記表示情報受信手段によって受信された表示情報を上記表示手段に表示する表示制御手段とを備えること
を特徴とする情報配信システム。
【請求項２】
上記端末装置は、上記スケジュール受信手段によって受信されたスケジュールと上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えるスケジュール書き換え手段を備え、
上記時刻送信手段は、上記表示情報が表示されている間、所定の時間おきに、上記内蔵時計によって示される時刻を、上記スケジュール送信装置に対して送信し、
上記スケジュール書き換え手段は、上記スケジュール受信手段によって受信されたスケジュールが、上記時刻送信手段によって所定の時間おきに上記スケジュール送信装置に対して送信された時刻に基づいて、上記スケジュール送信装置から送信されたスケジュールであるときに、上記スケジュール受信手段によって受信されたスケジュールと上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えること
を特徴とする請求項１記載の情報配信システム。
【請求項３】
上記スケジュール書き換え手段は、上記スケジュール受信手段によって受信されたスケジュールと、上記スケジュール記憶手段に記憶されたスケジュールとを比較して、上記表示終了時刻又は上記表示時間が異なる場合に、上記スケジュール記憶手段に記憶されているスケジュールを、上記スケジュール受信手段によって受信されたスケジュールに書き換えること
を特徴とする請求項２記載の情報配信システム。
【請求項４】
上記端末装置は、上記表示手段に表示された表示情報を記憶する表示情報記憶手段を備えること
を特徴とする請求項１記載の情報配信システム。
【請求項５】
上記ネットワーク網を介して、上記端末装置、上記スケジュール送信装置、及び表示情報送信装置と接続しており、上記送信スケジュール記憶手段に記憶されているスケジュール又は上記送信表示情報記憶手段に記憶されている表示情報を訂正する訂正装置を備えること
を特徴とする請求項１記載の情報配信システム。
【請求項６】
上記表示情報は、上記表示情報が上記表示手段に表示される時刻にテレビジョン放送されている番組、又はラジオ放送されている番組に関連していること
を特徴とする請求項１記載の情報配信システム。
【請求項７】
上記表示情報送信装置は、上記表示情報を暗号化する暗号化手段を備え、
上記端末装置は、上記暗号化手段によって暗号化された表示情報を解読する解読手段を備えること
を特徴とする請求項１記載の情報配信システム。
【請求項８】
上記端末装置は、上記表示情報が表示されている状態でユーザによる操作が行われたときに上記表示手段に表示されていた表示情報を示す最終表示情報を、上記表示情報送信装置に対して送信する最終表示情報送信手段を備え、
上記表示記情報送信装置は、上記端末装置から送信された最終表示情報に基づいて各表示情報が最終表示情報として送信された回数を集計する集計手段を備えること
を特徴とする請求項１記載の情報配信システム。
【請求項９】
上記送信スケジュール記憶手段には、複数のスケジュール表が記憶されており、
上記端末装置は、上記スケジュール送信装置によって送信されるスケジュールが属するスケジュール表を選択するスケジュール表選択手段を備えていること
を特徴とする請求項１記載の情報配信システム。
【請求項１０】
ネットワーク網を介して、表示情報を送信する表示情報送信装置と、スケジュールを送信するスケジュール送信装置と接続しており、
上記表示情報を表示する表示手段と、
時間の経過を示す内蔵時計と、
ユーザによる操作が所定時間以上行われないときに、上記表示手段に所定の画像を表示するスクリーンセーバと、
上記所定の画像が上記表示手段に表示されたとき、及び上記表示画像の表示が終了する時刻が近づいたときに、上記内蔵時計によって示される時刻を、上記スケジュール送信装置に対して送信する時刻送信手段と、
上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールを受信するスケジュール受信手段と、
上記スケジュール受信手段によって受信されたスケジュールを記憶するスケジュール記憶手段と、
上記内蔵時計によって示される時刻が上記スケジュール記憶手段に記憶されたスケジュールに示される表示開始時刻となったときに、スケジュールに示されているアドレスに基づいて、上記表示情報送信装置に対して表示情報送信要求を送信する表示情報送信要求送信手段と、
上記表示情報送信装置から送信された表示情報を受信する表示情報受信手段と、
上記表示情報受信手段によって受信された表示情報を上記表示手段に表示する表示制御手段とを備えること
を特徴とする端末装置。
【請求項１１】
上記端末装置は、上記スケジュール受信手段によって受信されたスケジュールと、上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えるスケジュール書き換え手段を備え、
上記時刻送信手段は、上記表示情報が表示されている間、所定の時間おきに、上記内蔵時計によって示される時刻を、上記スケジュール送信装置に対して送信し、
上記スケジュール書き換え手段は、上記スケジュール受信手段によって受信されたスケジュールが、上記時刻送信手段によって所定の時間おきに上記スケジュール送信装置に対して送信された時刻に基づいて、上記スケジュール送信装置から送信されたスケジュールであるときに、上記スケジュール受信手段によって受信されたスケジュールと上記スケジュール記憶手段に記憶されているスケジュールとを比較して、異なる部分がある場合に、上記スケジュール記憶手段に記憶されているスケジュールを、上記スケジュール受信手段によって受信されたスケジュールに書き換えること
を特徴とする請求項１０記載の端末装置。
【請求項１２】
上記スケジュール書き換え手段は、上記スケジュール受信手段によって受信されたスケジュールと、上記スケジュール記憶手段に記憶されたスケジュールとを比較して、上記表示終了時刻又は上記表示時間が異なる場合に、上記スケジュール記憶手段に記憶されているスケジュールを、上記スケジュール受信手段によって受信されたスケジュールに書き換えること
を特徴とする請求項１１記載の端末装置。
【請求項１３】
上記表示手段に表示された表示情報を記憶する表示情報記憶手段を備えること
を特徴とする請求項１０記載の端末装置。
【請求項１４】
暗号化された上記表示情報を解読する解読手段を備えること
を特徴とする請求項１０記載の端末装置。
【請求項１５】
上記表示情報が表示されている状態でユーザによる操作が行われたときに上記表示手段に表示されていた表示情報を示す最終表示情報を、上記表示情報送信手段に送信する最終表示情報送信手段を備えること
を特徴とする請求項１１記載の端末装置。
【請求項１６】
ネットワーク網を介して、端末装置と、上記端末装置に対して表示情報を送信する表示情報送信手段と接続されており、
上記表示情報の表示が開始となる時刻である表示開始時刻、上記表示情報の表示が終了する時刻である表示終了時刻、上記表示情報が上記端末装置に備えられた表示手段に表示される表示時間、及び上記表示情報を識別するアドレスが示されたスケジュールが複数記載されているスケジュール表を記憶する送信スケジュール記憶手段と、
上記端末装置から送信された時刻を受信したときに、受信した時刻と開始時刻が近いスケジュールを、上記スケジュール表から検索する検索手段と、
上記端末装置に対して、上記検索手段によって検索されたスケジュールを送信するスケジュール送信手段とを備えること
を特徴とするスケジュール送信装置。
【請求項１７】
上記スケジュール記憶手段には、複数のスケジュール表が記憶されていること
を特徴とする請求項１６記載のスケジュール送信装置。
【請求項１８】
ネットワーク網を介して端末装置と接続されており、
上記端末装置に対して送信する表示情報を記憶する送信表示情報記憶手段と、
上記端末装置によってアドレスに基づいて送信された表示情報送信要求を受信したときに、上記端末装置に対して上記送信表示情報記憶手段に記憶されている上記表示情報を送信する表示情報送信手段を備えること
を特徴とする表示情報送信装置。
【請求項１９】
上記表示情報を暗号化する暗号化手段を備えること
を特徴とする請求項１８記載の表示情報送信装置。
【請求項２０】
上記表示情報送信装置によって送信される上記表示情報は、上記表示情報が上記表示手段に表示される時刻にテレビジョン放送されている番組、又はラジオ放送されている番組に関連していること
を特徴とする請求項１８記載の表示情報送信装置。
【請求項２１】
上記端末装置から送信され、上記表示情報が表示されている状態でユーザが上記端末装置を操作したときに上記表示手段に表示されていた表示情報を示す最終表示情報に基づいて、各表示情報が最終表示情報として送信された回数を集計する集計手段を備えること
を特徴とする請求項１８記載の表示情報送信装置。
【請求項２２】
ネットワーク網を介して、端末装置と、表示情報送信装置と、スケジュール送信装置とが接続されている情報配信システムにおける情報配信方法であって、
上記端末装置は、ユーザによる操作が所定の時間以上行われないときに、所定の画像を表示手段に表示するとともに、上記スケジュール装置に対して、時間の経過を示す内蔵時計によって示される時刻を送信し、
上記スケジュール送信装置は、上記端末装置によって送信された時刻を受信して、上記表示情報の表示が開始となる時刻である表示開始時刻、上記表示情報の表示が終了する時刻である表示終了時刻、上記表示情報が表示される時間である表示時間、及び上記表示情報を識別するアドレスが一組とされているスケジュールを検索し、上記端末装置によって送信された時刻と開始時刻が近いスケジュールを選択して上記端末装置に対して送信し、
上記端末装置は、上記スケジュールを受信して記録媒体に記録するとともに、上記内蔵時計によって示される時刻が上記記録媒体に記憶されたスケジュールに示される表示開始時刻となったときに、スケジュールに示されているアドレスに基づいて、上記表示情報送信装置に対して表示情報送信要求を送信し、
上記表示情報送信装置は、上記表示情報送信要求を受信して、上記端末装置に対して表示情報を送信し、
上記端末装置は、上記表示情報送信手段によって送信された表示情報を受信して、表示手段に表示すること
を特徴とする情報配信方法。
【請求項２３】
上記端末装置は、上記表示情報が表示されている間、所定の時間おきに、上記内蔵時計によって示される時刻を、上記スケジュール送信装置に対して送信し、
上記スケジュール送信装置は、上記端末装置によって送信された時刻を受信して上記スケジュールを検索し、上記端末装置によって送信された時刻と開始時刻が近いスケジュールを選択して上記端末装置に対して送信し、
上記端末装置は、上記スケジュール送信装置によって送信されたスケジュールを受信し、受信したスケジュールと上記記録媒体に記憶されているスケジュールとを比較して、異なる部分がある場合に、上記記録媒体に記憶されているスケジュールを、受信したスケジュールに書き換えること
を特徴とする請求項２２記載の情報配信方法。
【請求項２４】
上記端末装置は、上記受信したスケジュールと、上記記録媒体に記憶されているスケジュールとを比較して、上記表示終了時刻又は上記表示時間が異なる場合に、上記記録媒体に記憶されているスケジュールを、受信したスケジュールに書き換えること
を特徴とする請求項２３記載の情報配信方法。
【請求項２５】
上記端末装置は、上記表示情報送信手段によって送信された表示情報を、記録媒体に対して記録すること
を特徴とする請求項２２記載の情報配信方法。
【請求項２６】
上記ネットワーク網を介して、上記端末装置、上記スケジュール送信装置、及び表示情報送信装置と接続している訂正装置を備え、
上記訂正装置は、上記スケジュール送信装置によって送信されるスケジュール又は上記表示情報送信装置によって送信される表示情報を訂正すること
を特徴とする請求項２２記載の情報配信方法。
【請求項２７】
上記表示情報は、上記表示情報が上記表示手段に表示される時刻にテレビジョン放送されている番組、又はラジオ放送されている番組に関連していること
を特徴とする請求項２２記載の情報配信方法。
【請求項２８】
上記表示情報送信装置は、上記表示情報を暗号化し、
上記端末装置は、上記暗号化された表示情報を解読すること
を特徴とする請求項２２記載の情報配信方法。
【請求項２９】
上記端末装置は、上記表示情報が表示されている状態でユーザによる操作が行われたときに上記表示手段に表示されていた表示情報を示す最終表示情報を、上記情報送信装置に対して送信し、
上記情報送信装置は、上記端末装置から送信された最終表示情報に基づいて各表示情報が最終表示情報として送信された回数を集計すること
を特徴とする請求項２２記載の情報配信方法。
【請求項３０】
上記スケジュール送信装置に備えられた記録媒体には、複数のスケジュール表が記憶されており、
上記端末装置は、上記スケジュール送信装置によって送信されるスケジュールが属するスケジュール表を選択すること
を特徴とする請求項２２記載の情報配信方法。
【手続補正２】
【補正対象書類名】明細書
【補正対象項目名】００１０
【補正方法】変更
【補正の内容】
【００１０】
本発明に係る情報配信システムは、ネットワーク網を介して、端末装置と、表示情報送信装置と、スケジュール送信装置とが接続されている情報配信システムであって、上記表示情報送信装置は、上記端末装置によって送信された表示情報送信要求を受信したときに、上記端末装置に対して表示情報を送信する表示情報送信手段と、上記表示情報を記憶する送信表示情報記憶手段とを備え、上記スケジュール送信装置は、上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールが、複数記載されているスケジュール表を記憶する送信スケジュール記憶手段と、上記端末装置から送信された時刻を受信したときに、受信した時刻と表示開始時刻が近いスケジュールを上記スケジュール表から検索し、該当するスケジュールを選択する選択手段と、上記端末装置に対して、上記選択手段によって選択されたスケジュールを送信するスケジュール送信手段とを備え、上記端末装置は、上記表示情報を表示する表示手段と、時間の経過を示す内蔵時計と、ユーザによる操作が所定時間以上行われないときに、上記表示手段に所定の画像を表示するスクリーンセーバと、上記所定の画像が上記表示手段に表示されたとき、及び上記表示画像の表示が終了する時刻が近づいたときに、上記内蔵時計によって示される時刻を、上記スケジュール送信装置に対して送信する時刻送信手段と、上記スケジュール送信装置から送信されたスケジュールを受信するスケジュール受信手段と、上記スケジュール受信手段によって受信されたスケジュールを記憶するスケジュール記憶手段と、上記内蔵時計によって示される時刻が上記スケジュール記憶手段に記憶されたスケジュールに示される表示開始時刻となったときに、スケジュールに示されているアドレスに基づいて、上記表示情報送信装置に対して表示情報送信要求を送信する表示情報送信要求送信手段と、上記表示情報送信装置から送信された表示情報を受信する表示情報受信手段と、上記表示情報受信手段によって受信された表示情報を上記表示手段に表示する表示制御手段とを備えることを特徴とする。


【手続補正３】
【補正対象書類名】明細書
【補正対象項目名】００１１
【補正方法】変更
【補正の内容】
【００１１】
また、本発明に係る端末装置は、ネットワーク網を介して、表示情報を送信する表示情報送信装置と、スケジュールを送信するスケジュール送信装置と接続しており、上記表示情報を表示する表示手段と、時間の経過を示す内蔵時計と、ユーザによる操作が所定時間以上行われないときに、上記表示手段に所定の画像を表示するスクリーンセーバと、上記所定の画像が上記表示手段に表示されたとき、及び上記表示画像の表示が終了する時刻が近づいたときに、上記内蔵時計によって示される時刻を、上記スケジュール送信装置に対して送信する時刻送信手段と、上記表示情報の表示が開始となる時刻を示す表示開始時刻、並びに上記表示情報を識別するアドレス、並びに上記表示情報の表示が終了する時刻を示す表示終了時刻及び／又は上記表示情報が表示される時間を示す表示時間が一組とされているスケジュールを受信するスケジュール受信手段と、上記スケジュール受信手段によって受信されたスケジュールを記憶するスケジュール記憶手段と、上記内蔵時計によって示される時刻が上記スケジュール記憶手段に記憶されたスケジュールに示される表示開始時刻となったときに、スケジュールに示されているアドレスに基づいて、上記表示情報送信装置に対して表示情報送信要求を送信する表示情報送信要求送信手段と、上記表示情報送信装置から送信された表示情報を受信する表示情報受信手段と、上記表示情報受信手段によって受信された表示情報を上記表示手段に表示する表示制御手段とを備えることを特徴とする。


【手続補正４】
【補正対象書類名】図面
【補正対象項目名】図７
【補正方法】変更
【補正の内容】
【図７】
2004222211.tif 000017